(57)【要約】【課題】  安定姿勢で組付き、強度の高い足場組付け装置を提供する。【解決手段】  鉛直支柱１に嵌入して組付く支持筒１１に、前後水平方向に配置され、足場板２が上載される主支持材１２を、その基端部を固定して設ける。主支持材１２の垂直下に、基端部が支持筒１１に固定されて前方斜め下方に傾斜し、かつ、主支持材１２と連結補強材１４で連結される補助支持材１３を設ける。主支持材１２の先端から左右水平方向に腕片１５を設け、腕片１５の左右それぞれから横パイプ３に上から掛止する一対のフック１６を設け、さらに、補助支持材１３の先端部に、縦パイプ４に前から掛止する当て具１７を設ける。フック１６および当て具１７の一方または双方に、フック１６および当て具１７の一方または双方を、横パイプ３および縦パイプ４の一方または双方に固定部材５で固定するための孔部１８を設ける。【選択図】      図１
0003115524.tif 000002
【実用新案登録請求の範囲】
【請求項１】
鉛直支柱（１）に嵌入して組付く支持筒（１１）に，前後水平方向に配置され，足場板（２）が上載される主支持材（１２）を，その基端部を固定して設け、前記主支持材の垂直下に，基端部が前記支持筒に固定されて前方斜め下方に傾斜し，かつ，前記主支持材と連結補強材（１４）で連結される補助支持材（１３）を設け、前記主支持材の先端から左右水平方向に腕片（１５）を設け，該腕片の左右それぞれから横パイプ（３）に上から掛止する一対のフック（１６）を設け、前記補助支持材の先端部に，縦パイプ（４）に前から掛止する当て具（１７）を設け、前記フックおよび前記当て具の一方または双方に，該フックおよび当て具の一方または双方を，前記横パイプおよび縦パイプの一方または双方に固定部材（５）で固定するための孔部（１８）を設けてなる足場組付け装置。
【請求項２】
支持筒（１１）から，足場板（２）が上載される上水平材（２１）を有する支持金具（２０）を介して鉛直支柱（１）に固定される主支持材（１２）を、垂直方向に立設し、前記主支持材の真横方向に，基端部が前記支持筒に固定されて斜め上方に傾斜し，かつ，前記主支持材と連結補強材（１４）で連結される補助支持材（１３）を設け、前記主支持材の先端から左右水平方向に腕片（１５）を設け，該腕片の左右それぞれから左右水平方向に設けられた第一横パイプ（３ａ）に上から掛止する一対のフック（１６）を設け、前記補助支持材の先端部に，前記第一横パイプの上側に直交接触して前後水平方向に設けられた第二横パイプ（３ｂ）に下から掛止する当て具（１７）を設け、前記フックおよび前記当て具の一方または双方に，該フックおよび当て具の一方または双方を，前記第一横パイプおよび第二横パイプの一方または双方に固定部材（５）で固定するための孔部（１８）を設けてなる足場組付け装置。
【請求項３】
固定部材（５）をボルトとし、孔部（１８）をネジ孔としてなる請求項１または２に記載の足場組付け装置。
【考案の詳細な説明】
【技術分野】
【０００１】
本考案は、建築物のコンクリート壁を形成する作業や外装工事などを行う際に使用する足場を組むための足場組付け装置に関するものである。
【背景技術】
【０００２】
ビルやマンションをはじめとするあらゆる建築物のコンクリート壁を形成する作業や外装工事などを行う場合、その建築物の周囲に足場を組む必要がある。従来、この足場を組むための装置として、例えば、特許文献１に記載のものがある。
【特許文献１】実開昭５２−１１０７１６号公報
【０００３】
この文献に記載の足場取付装置３０は、図１１よび図１２に示すように、水平方向に設けた上水平材３１の基端部と、その下位に設けた下傾斜材３２の基端部とを連結筒３３で連結し、かつ、下傾斜板３２を、下方向および左右一方向の両方向に斜めに傾斜させて、そのほぼ中間部分を傾斜した連結材３４で連結している。また、上水平材３１の先端部にフック３５を介して引掛片３６を設け、下傾斜板３２の先端部に二股部材３７を設けている。さらに、連結筒３３を支柱に嵌合すると共に、引掛片３６を横パイプ３に掛止させ、二股部材３７を縦パイプ４に掛止させるようにしている。そして、こうした装置３０を複数設け、隣接する上水平材３１の間に足場板２を上載し、その上で作業を行うこととしている。
【考案の開示】
【考案が解決しようとする課題】
【０００４】
しかし、この従来の装置３０は、引掛片３６と二股部材３７の位置が左右方向に偏っているため、足場板２の上に作業者が乗った際、その荷重が垂直下方向に作用せず、引掛片３６を軸として二股部材３７側に回転トルクが作用するので安定性に欠け、強度が劣るといった問題がある。従って、多くの作業者がこの足場板２に乗るなどして大きな荷重が作用すると、当該装置３０がパイプ３，４から外れてしまう危険性がある。
【０００５】
また、この従来の装置３０では、引掛片３６と二股部材３７を、それぞれ横パイプ３と縦パイプ４に単に掛止しているのみであるため、安定性に欠け、これによっても当該装置３０が横パイプ３や縦パイプ４から外れてしまう危険性がある。
【０００６】
本考案はこうした問題に鑑み創案されたもので、パイプに外れることなく安定姿勢で確実に組付けることができ、強度の高い足場組付け装置を提供することを課題とする。
【課題を解決するための手段】
【０００７】
図１乃至図７を参照して説明する。請求項１に記載の足場組付け装置１０は、鉛直支柱１に嵌入して組付く支持筒１１に、前後水平方向に配置され、足場板２が上載される主支持材１２を、その基端部を固定して設ける。また、前記主支持材１２の垂直下に、基端部が前記支持筒１１に固定されて前方斜め下方に傾斜し、かつ、前記主支持材１２と連結補強材１４で連結される補助支持材１３を設ける。
【０００８】
また、前記主支持材１２の先端から左右水平方向に腕片１５を設け、該腕片１５の左右それぞれから横パイプ３に上から掛止する一対のフック１６を設け、さらに、前記補助支持材１３の先端部に、縦パイプ４に前から掛止する当て具１７を設ける。
【０００９】
そして、前記フック１６および前記当て具１７の一方または双方に、該フック１６および当て具１７の一方または双方を、前記横パイプ３および縦パイプ４の一方または双方に固定部材５で固定するための孔部１８を設ける。
【００１０】
請求項２に記載の足場組付け装置１０は、支持筒１１から、足場板２が上載される上水平材２１を有する支持金具２０を介して鉛直支柱１に固定される主支持材１２を、垂直方向に立設する。また、前記主支持材１２の真横方向に、基端部が前記支持筒１１に固定されて斜め上方に傾斜し、かつ、前記主支持材１２と連結補強材１４で連結される補助支持材１３を設ける。
【００１１】
また、前記主支持材１２の先端から左右水平方向に腕片１５を設け、該腕片１５の左右それぞれから左右水平方向に設けられた第一横パイプ３ａに上から掛止する一対のフック１６を設け、さらに、前記補助支持材１３の先端部に、前記第一横パイプ３ａの上側に直交接触して前後水平方向に設けられた第二横パイプ３ｂに下から掛止する当て具１７を設ける。
【００１２】
そして、前記フック１６および前記当て具１７の一方または双方に、該フック１６および当て具１７の一方または双方を、前記第一横パイプ３ａおよび第二横パイプの一方または双方に固定部材５で固定するための孔部１８を設ける。
【００１３】
請求項３に記載の足場組付け装置１０は、請求項１または２に記載の考案において、固定部材５をボルトとし、孔部１８をネジ孔としてなる。
【考案の効果】
【００１４】
請求項１に記載の足場組付け装置１０は、補助支持材１３を主支持材１２の垂直下に設け、その先端部に当て具１７を設け、かつ、一対のフック１６を、主支持材１２の先端から左右水平方向に設けた腕片１５を左右のそれぞれに設けているので、当該装置１０を、鉛直支柱１の他に、横パイプ３および縦パイプ４にも安定姿勢で確実に組付けることができる。
【００１５】
すなわち、足場板２に作業者が乗った際、その荷重が主支持材１２に作用するが、その荷重は垂直下に位置する補助支持材１３および当て具１７にそのまま垂直下方向に作用するので、従来技術のように左右水平方向の回転トルクが発生せず、よって安定性に優れる。また、一対のフック１６を、主支持材１２先端方向の左右水平方向のそれぞれに設けたことによっても、回転トルクの発生を防止することができ、さらに高い安定性を発揮することができる。従って、強度に優れ、より大きな荷重を支持することができる。
【００１６】
また、フック１６および当て具１７の一方または双方に、当該フック１６および当て具１７の一方または双方を、横パイプ３および縦パイプ４の一方または双方に固定部材５で固定するための孔部１８を設けたので、当該フック１６および／または当て具１７が、横パイプ３および／または縦パイプ４から外れてしまうのを確実に防止して強固に組付けることができる。従って、当該装置１０の安定姿勢をさらに高めることができる。
【００１７】
請求項２に記載の足場組付け装置１０は、一対のフック１６を、主支持材１２の先端から左右水平方向に設けた腕片１５の左右それぞれから左右水平方向に設けたので、足場板２に作業者が乗った際の荷重を、当該一対のフック１６が均等に受ける。従って、当該装置１０には左右水平方向の回転トルクが発生せず、安定姿勢を維持することができる。従って、強度が高く、より大きな荷重に耐えることができる。
【００１８】
また、当て具１７を、主支持材１２の真横方向に設けた補助支持材１３の先端部に形成したので、回転トルクの発生がより抑制され、さらに安定した姿勢を維持することができる。
【００１９】
さらに、フック１６および当て具１７の一方または双方に、当該フック１６および当て具１７の一方または双方を、第一横パイプ３ａおよび第二横パイプ３ｂの一方または双方に固定部材５で固定するための孔部１８を設けたので、当該装置１０をより確実に安定させることができる。
【００２０】
請求項３に記載の足場組付け装置１０は、固定部材５をボルトとし、孔部１８をネジ孔としたので、ボルトをネジ孔に螺合してその先端部を横パイプ３などの外面に強く当てることによって、容易に、フック１６や当て具１７を横パイプ３などに強固に組付けることができる。これにより、当該装置１０の安定姿勢を、さらに確実に維持することができる。
【考案を実施するための最良の形態】
【００２１】
本考案に係る足場組付け装置１０の第一実施形態を、図１乃至図４および図７に示す。これは、建物のコンクリート壁を形成する際に、コンクリートを打設する型枠６に隣接して組付けて使用するものである。
【００２２】
この装置１０は、鉛直支柱１に嵌入して組付く支持筒１１に、前後水平方向に配置され、足場板２が上載される主支持材１２を、その基端部を固定して設けている。また、主支持材１２の垂直下に、基端部が支持筒１１に固定されて前方斜め下方に傾斜し、かつ、主支持材１２と、その前部で、垂直に配した連結補強材１４で連結される補助支持材１３を設けている。
【００２３】
また、主支持材１２の先端から左右水平方向に腕片１５を設け、その腕片１５の左右それぞれから横パイプ３に上から掛止する一対のフック１６を設けている。さらに、補助支持材１３の先端部に、縦パイプ４に前から掛止する当て具１７を設けている。
【００２４】
そして、フック１６および当て具１７の双方に、当該フック１６および当て具１７を、横パイプ３および縦パイプ４に固定部材５で固定するための孔部１８を設けている。この固定部材５はボルトで構成し、孔部１８は、そのボルトが螺合するネジ孔としている。なお、固定部材５と孔部１８は、ボルトとネジ孔に限定されるものではなく、例えば、テーパーピンとそのテーパーピンが挿通する丸孔であっても良い。なお、その場合には、横パイプ３などにも孔や溝を穿設する必要がある。また、支持筒１１には、鉛直支柱１あるいはそれをジョイントするパイプジョイントなどにピン１９を差し込むためのピン孔１１ａを穿設している。
【００２５】
本実施形態に係る足場組付け装置１０は、横パイプ３および縦パイプ４に安定姿勢で組付けることができる。すなわち、足場板２に作業者が乗って作業を行う場合、その荷重が主支持材１２に作用するが、当該荷重は主支持材１２の垂直下に位置する補助支持材１３および当て具１７に垂直方向に作用する。従って、左右水平方向の回転トルクが発生せず、安定性と強度に優れる。また、一対のフック１６を、主支持材１２の先端方向の左右水平方向に設けたことによっても、左右水平方向の回転トルクの発生を防止することができ、安定性および強度がさらに高められる。これにより、より大きな荷重を支持することができる。
【００２６】
さらに、この装置１０は、図７に示すように、フック１６および当て具１７の双方に、ボルト（固定部材５）が螺合するネジ孔（孔部１８）を設けているので、当該ボルトをネジ孔に螺合して、その先端部を横パイプ３および縦パイプ４の外面に突き当てることによって、フック１６および当て具１７が横パイプ３および縦パイプ４から外れるのを未然に防止することができる。これによって、当該装置１０の安定姿勢をさらに確実に保つことができる。
【００２７】
なお、この装置１０は、図８に示すように、ホームタイＴの両端部に取付けた型枠用アダプター１９Ａを介して取付けることもできるし、図９に示すように、コンクリート壁Ｃに埋設したコンクリート用アダプター１９Ｂを介して取り付けることもできる。
【００２８】
本考案に係る足場組付け装置１０の第二実施形態を、図５および図６に示す。これは、マンションの外壁を補修等するために、そのバルコニー７の下方に取り付けて使用するものである。なお、この装置１０は、第一実施形態で示す装置１０と使用形態が異なるものの、その構成は同じである。
【００２９】
この装置１０は、支持筒１１から、足場板２が上載される上水平材２１を有する支持金具２０を介して、鉛直支柱１に固定される主支持材１２を垂直方向に立設している。また、主支持材１２の真横方向に、基端部が前記支持筒１１に固定されて斜め上方に傾斜し、かつ、主支持材１２と連結補強材１４で連結される補助支持材１３を設けている。なお、支持金具２０は、上水平材２１の垂直下に、斜め下方に傾斜する下傾斜板２２と、鉛直支柱１に嵌入する連結筒２３と、主支持材１２に嵌合する固定材２４を備えている。
【００３０】
さらに、主支持材１２の先端から左右水平方向に腕片１５を設け、当該腕片１５の左右それぞれから左右水平方向に設けられた第一横パイプ３ａに上から掛止する一対のフック１６を設けている。また、補助支持材１３の先端部に、第一横パイプ３ａの上側に直交接触して、アンカーボルト８によって前後水平方向に設けられた第二横パイプ３ｂに下から掛止する当て具１７を設けている。
【００３１】
そして、フック１６および当て具１７の双方に、それらを第一横パイプ３ａおよび第二横パイプ３ｂに固定部材５で固定するための孔部１８を設けている。なお、孔部１８は、フック１６または当て具１７の一方のみに形成することができる。
【００３２】
本実施形態に係る足場組付け装置１０は、一対のフック１６を、主支持材１２の先端から左右水平方向に設けた腕片１５の左右それぞれから左右水平方向に設けているので、足場板２に作業者が乗った際の荷重を、当該一対のフック１６が均等に受ける。従って、当該装置１０には左右水平方向の回転トルクが発生せず、安定姿勢を維持することができ、強度に優れる。
【００３３】
また、当て具１７を、主支持材１２の真横方向に設けた補助支持材１３の先端部に形成したので、回転トルクの発生がより抑制され、さらに安定した姿勢を維持し、高い強度を発揮することができる。
【００３４】
さらに、フック１６および当て具１７の双方に、当該フック１６および当て具１７を、第一横パイプ３ａおよび第二横パイプ３ｂに固定部材５で固定するための孔部１８を設けたので、この孔部１８に固定部材５を組付けることによって、当該装置１０をより確実に安定させることができる。
【００３５】
なお、この装置１０は、図１０に示すように、バルコニー７に埋設したコンクリート用アダプター９Ｂを介して取付けることができる。また、この装置１０には、同図に示すように、規制のブラケットＢを複数取付けることができる。
【図面の簡単な説明】
【００３６】
【図１】本考案の第一実施形態に係る足場組付け装置を示す側面図である。
【図２】図１に示す足場組付け装置の平面図である。
【図３】図１に示す足場組付け装置の使用状態を示す側面図である。
【図４】図１に示す足場組付け装置の使用状態を示す平面図である。
【図５】本考案の第二実施形態に係る足場組付け装置の使用状態を示す側面図である。
【図６】本考案の第二実施形態に係る足場組付け装置の使用状態を示す正面図である。
【図７】本考案における固定部材と孔部の実施形態を示す断面図である。
【図８】本考案の第一実施形態に係る足場組付け装置の他の態様を示す側面図である。
【図９】本考案の第一実施形態に係る足場組付け装置のさらに他の態様を示す側面図である。
【図１０】本考案の第二実施形態に係る足場組付け装置の他の態様を示す側面図である。
【図１１】従来例に係る足場組付け装置を示す側面図である。
【図１２】図１１に示す足場組付け装置の平面図である。
【符号の説明】
【００３７】
１        鉛直支柱
２        足場板
３        横パイプ
３ａ      第一横パイプ
３ｂ      第二横パイプ
４        縦パイプ
５        固定部材
６        型枠
７        バルコニー
８        アンカーボルト
９Ａ      型枠用アダプター
９Ｂ      コンクリート用アダプター
１０      足場組付け装置
１１      支持筒
１１ａ    ピン孔
１２      主支持材
１３      補助支持材
１４      連結補強材
１５      腕片
１６      フック
１７      当て具
１８      孔部
１９      ピン
２０      支持金具
２１      上水平材
２２      下傾斜板
２３      連結筒
２４      固定材
３０      足場取付装置
３１      上水平材
３２      下傾斜材
３３      連結筒
３４      連結材
３５      フック
３６      引掛片
３７      二股部材
Ｂ        規制のブラケット
Ｃ        コンクリート壁
Ｔ        ホームタイ
【図１】
0003115524.tif 000003
【図２】
0003115524.tif 000004
【図３】
0003115524.tif 000005
【図４】
0003115524.tif 000006
【図５】
0003115524.tif 000007
【図６】
0003115524.tif 000008
【図７】
0003115524.tif 000009
【図８】
0003115524.tif 000010
【図９】
0003115524.tif 000011
【図１０】
0003115524.tif 000012
【図１１】
0003115524.tif 000013
【図１２】
0003115524.tif 000014
【手続補正書】
【提出日】平成17年9月5日(2005.9.5)
【手続補正１】
【補正対象書類名】明細書
【補正対象項目名】全文
【補正方法】変更
【補正の内容】
【考案の詳細な説明】
【技術分野】
【０００１】
本考案は、建築物のコンクリート壁を形成する作業や外装工事などを行う際に使用する足場を組むための足場組付け装置に関するものである。
【背景技術】
【０００２】
ビルやマンションをはじめとするあらゆる建築物のコンクリート壁を形成する作業や外装工事などを行う場合、その建築物の周囲に足場を組む必要がある。従来、この足場を組むための装置として、例えば、特許文献１に記載のものがある。
【特許文献１】実開昭５２−１１０７１６号公報
【０００３】
この文献に記載の足場取付装置３０は、図１１よび図１２に示すように、水平方向に設けた上水平材３１の基端部と、その下位に設けた下傾斜材３２の基端部とを連結筒３３で連結し、かつ、下傾斜板３２を、下方向および左右一方向の両方向に斜めに傾斜させて、そのほぼ中間部分を傾斜した連結材３４で連結している。また、上水平材３１の先端部にフック３５を介して引掛片３６を設け、下傾斜板３２の先端部に二股部材３７を設けている。さらに、連結筒３３を支柱に嵌合すると共に、引掛片３６を横パイプ３に掛止させ、二股部材３７を縦パイプ４に掛止させるようにしている。そして、こうした装置３０を複数設け、隣接する上水平材３１の間に足場板２を上載し、その上で作業を行うこととしている。
【考案の開示】
【考案が解決しようとする課題】
【０００４】
しかし、図１１及び図１２に示す従来の装置３０は、引掛片３６と二股部材３７の位置が左右方向に偏っているため、足場板２の上に作業者が乗った際、その荷重が垂直下方向に作用せず、引掛片３６を軸として二股部材３７側に回転トルクが作用するので安定性に欠け、強度が劣るといった問題がある。従って、多くの作業者がこの足場板２に乗るなどして大きな荷重が作用すると、当該装置３０がパイプ３，４から外れてしまう危険性がある。
【０００５】
また、この従来の装置３０では、引掛片３６と二股部材３７を、それぞれ横パイプ３と縦パイプ４に単に掛止しているのみであるため、安定性に欠け、これによっても当該装置３０が横パイプ３や縦パイプ４から外れてしまう危険性がある。
【０００６】
本考案はこうした問題に鑑み創案されたもので、パイプに外れることなく安定姿勢で確実に組付けることができ、強度の高い足場組付け装置を提供することを課題とする。
【課題を解決するための手段】
【０００７】
図１乃至図４を参照して説明すると、請求項１に記載の足場組付け装置１０は、鉛直支柱１に嵌入して組付く支持筒１１に、前後水平方向に配置され、足場板２が上載される主支持材１２を、その基端部を固定して設ける。また、前記主支持材１２の垂直下に、基端部が前記支持筒１１に固定されて前方斜め下方に傾斜し、かつ、前記主支持材１２と連結補強材１４で連結される補助支持材１３を設ける。
【０００８】
また、前記主支持材１２の先端から左右水平方向に腕片１５を設け、該腕片１５の左右それぞれから横パイプ３に上から掛止する一対のフック１６を設け、さらに、前記補助支持材１３の先端部に、縦パイプ４に前から掛止する当て具１７を設ける。
【０００９】
そして、前記フック１６および前記当て具１７の一方または双方に、該フック１６および当て具１７の一方または双方を、前記横パイプ３および縦パイプ４の一方または双方に固定部材５で固定するための孔部１８を設ける。
【００１０】
図１，図２，図５，及び図６を参照して説明すると、請求項２に記載の足場組付け装置１０は、支持筒１１から、足場板２が上載される上水平材２１を有する支持金具２０を介して鉛直支柱１に固定される主支持材１２を、垂直方向に立設する。また、前記主支持材１２の真横方向に、基端部が前記支持筒１１に固定されて斜め上方に傾斜し、かつ、前記主支持材１２と連結補強材１４で連結される補助支持材１３を設ける。
【００１１】
また、前記主支持材１２の先端から左右水平方向に腕片１５を設け、該腕片１５の左右それぞれから左右水平方向に設けられた第一横パイプ３ａに上から掛止する一対のフック１６を設け、さらに、前記補助支持材１３の先端部に、前記第一横パイプ３ａの上側に直交接触して前後水平方向に設けられた第二横パイプ３ｂに下から掛止する当て具１７を設ける。
【００１２】
そして、前記フック１６および前記当て具１７の一方または双方に、該フック１６および当て具１７の一方または双方を、前記第一横パイプ３ａおよび第二横パイプ３ｂの一方または双方に固定部材５で固定するための孔部１８を設ける。
【００１３】
図７を参照して説明すると、請求項３に記載の足場組付け装置１０は、請求項１または２に記載の考案において、固定部材５をボルトとし、孔部１８をネジ孔としてなる。
【考案の効果】
【００１４】
図１乃至図４に示す如く、請求項１に記載の足場組付け装置１０は、補助支持材１３を主支持材１２の垂直下に設け、その先端部に当て具１７を設け、かつ、一対のフック１６を、主支持材１２の先端から左右水平方向に設けた腕片１５を左右のそれぞれに設けているので、当該装置１０を、鉛直支柱１の他に、横パイプ３および縦パイプ４にも安定姿勢で確実に組付けることができる。
【００１５】
すなわち、足場板２に作業者が乗った際、その荷重が主支持材１２に作用するが、その荷重は垂直下に位置する補助支持材１３および当て具１７にそのまま垂直下方向に作用するので、従来技術のように左右水平方向の回転トルクが発生せず、よって安定性に優れる。また、一対のフック１６を、主支持材１２先端方向の左右水平方向のそれぞれに設けたことによっても、回転トルクの発生を防止することができ、さらに高い安定性を発揮することができる。従って、強度に優れ、より大きな荷重を支持することができる。
【００１６】
また、フック１６および当て具１７の一方または双方に、当該フック１６および当て具１７の一方または双方を、横パイプ３および縦パイプ４の一方または双方に固定部材５で固定するための孔部１８を設けたので、当該フック１６および／または当て具１７が、横パイプ３および／または縦パイプ４から外れてしまうのを確実に防止して強固に組付けることができる。従って、当該装置１０の安定姿勢をさらに高めることができる。
【００１７】
図１，図２，図５及び図６に示す如く、請求項２に記載の足場組付け装置１０は、一対のフック１６を、主支持材１２の先端から左右水平方向に設けた腕片１５の左右それぞれから左右水平方向に設けたので、足場板２に作業者が乗った際の荷重を、当該一対のフック１６が均等に受ける。従って、当該装置１０には左右水平方向の回転トルクが発生せず、安定姿勢を維持することができる。従って、強度が高く、より大きな荷重に耐えることができる。
【００１８】
また、当て具１７を、主支持材１２の真横方向に設けた補助支持材１３の先端部に形成したので、回転トルクの発生がより抑制され、さらに安定した姿勢を維持することができる。
【００１９】
さらに、フック１６および当て具１７の一方または双方に、当該フック１６および当て具１７の一方または双方を、第一横パイプ３ａおよび第二横パイプ３ｂの一方または双方に固定部材５で固定するための孔部１８を設けたので、当該装置１０をより確実に安定させることができる。
【００２０】
図７に示す如く、請求項３に記載の足場組付け装置１０は、固定部材５をボルトとし、孔部１８をネジ孔としたので、ボルトをネジ孔に螺合してその先端部を横パイプ３などの外面に強く当てることによって、容易に、フック１６や当て具１７を横パイプ３などに強固に組付けることができる。これにより、当該装置１０の安定姿勢を、さらに確実に維持することができる。
【考案を実施するための最良の形態】
【００２１】
本考案に係る足場組付け装置１０の第一実施形態を、図１乃至図４および図７に示す。これは、建物のコンクリート壁を形成する際に、コンクリートを打設する型枠６に隣接して組付けて使用するものである。
【００２２】
この装置１０は、鉛直支柱１に嵌入して組付く支持筒１１に、前後水平方向に配置され、足場板２が上載される主支持材１２を、その基端部を固定して設けている。また、主支持材１２の垂直下に、基端部が支持筒１１に固定されて前方斜め下方に傾斜し、かつ、主支持材１２と、その前部で、垂直に配した連結補強材１４で連結される補助支持材１３を設けている。
【００２３】
また、主支持材１２の先端から左右水平方向に腕片１５を設け、その腕片１５の左右それぞれから横パイプ３に上から掛止する一対のフック１６を設けている。さらに、補助支持材１３の先端部に、縦パイプ４に前から掛止する当て具１７を設けている。
【００２４】
そして、フック１６および当て具１７の双方に、当該フック１６および当て具１７を、横パイプ３および縦パイプ４に固定部材５で固定するための孔部１８を設けている。この固定部材５はボルトで構成し、孔部１８は、そのボルトが螺合するネジ孔としている。なお、固定部材５と孔部１８は、ボルトとネジ孔に限定されるものではなく、例えば、テーパーピンとそのテーパーピンが挿通する丸孔であっても良い。なお、その場合には、横パイプ３などにも孔や溝を穿設する必要がある。また、支持筒１１には、鉛直支柱１あるいはそれをジョイントするパイプジョイントなどにピン１９を差し込むためのピン孔１１ａを穿設している。
【００２５】
本実施形態に係る足場組付け装置１０は、横パイプ３および縦パイプ４に安定姿勢で組付けることができる。すなわち、足場板２に作業者が乗って作業を行う場合、その荷重が主支持材１２に作用するが、当該荷重は主支持材１２の垂直下に位置する補助支持材１３および当て具１７に垂直方向に作用する。従って、左右水平方向の回転トルクが発生せず、安定性と強度に優れる。また、一対のフック１６を、主支持材１２の先端方向の左右水平方向に設けたことによっても、左右水平方向の回転トルクの発生を防止することができ、安定性および強度がさらに高められる。これにより、より大きな荷重を支持することができる。
【００２６】
さらに、この装置１０は、図７に示すように、フック１６および当て具１７の双方に、ボルト（固定部材５）が螺合するネジ孔（孔部１８）を設けているので、当該ボルトをネジ孔に螺合して、その先端部を横パイプ３および縦パイプ４の外面に突き当てることによって、フック１６および当て具１７が横パイプ３および縦パイプ４から外れるのを未然に防止することができる。これによって、当該装置１０の安定姿勢をさらに確実に保つことができる。
【００２７】
なお、この装置１０は、図８に示すように、ホームタイＴの内端部に取付けた型枠用アダプター９Ａを介して取付けることもできるし、図９に示すように、コンクリート壁Ｃに埋設したコンクリート用アダプター９Ｂを介して取り付けることもできる。
【００２８】
本考案に係る足場組付け装置１０の第二実施形態を、図５，図６および図７に示す。これは、マンションの外壁を補修等するために、そのバルコニー７の下方に取り付けて使用するものである。なお、この装置１０は、第一実施形態で示す装置１０と使用形態が異なるものの、その構成は同じである。
【００２９】
この装置１０は、支持筒１１から、足場板２が上載される上水平材２１を有する支持金具２０を介して、鉛直支柱１に固定される主支持材１２を垂直方向に立設している。また、主支持材１２の真横方向に、基端部が前記支持筒１１に固定されて斜め上方に傾斜し、かつ、主支持材１２と連結補強材１４で連結される補助支持材１３を設けている。なお、支持金具２０は、上水平材２１の垂直下に、斜め下方に傾斜する下傾斜板２２と、鉛直支柱１に嵌入する連結筒２３と、主支持材１２に嵌合する固定材２４を備えている。
【００３０】
さらに、主支持材１２の先端から左右水平方向に腕片１５を設け、当該腕片１５の左右それぞれから左右水平方向に設けられた第一横パイプ３ａに上から掛止する一対のフック１６を設けている。また、補助支持材１３の先端部に、第一横パイプ３ａの上側に直交接触して、前後水平方向に設けられた第二横パイプ３ｂに下から掛止する当て具１７を設けている。
【００３１】
そして、フック１６および当て具１７の双方に、それらを第一横パイプ３ａおよび第二横パイプ３ｂに固定部材５で固定するための孔部１８を設けている。なお、孔部１８は、フック１６または当て具１７の一方のみに形成することができる。
【００３２】
本実施形態に係る足場組付け装置１０は、一対のフック１６を、主支持材１２の先端から左右水平方向に設けた腕片１５の左右それぞれから左右水平方向に設けているので、足場板２に作業者が乗った際の荷重を、当該一対のフック１６が均等に受ける。従って、当該装置１０には左右水平方向の回転トルクが発生せず、安定姿勢を維持することができ、強度に優れる。
【００３３】
また、当て具１７を、主支持材１２の真横方向に設けた補助支持材１３の先端部に形成したので、回転トルクの発生がより抑制され、さらに安定した姿勢を維持し、高い強度を発揮することができる。
【００３４】
さらに、フック１６および当て具１７の双方に、当該フック１６および当て具１７を、第一横パイプ３ａおよび第二横パイプ３ｂに固定部材５で固定するための孔部１８を設けたので、この孔部１８に固定部材５を組付けることによって、当該装置１０をより確実に安定させることができる。
【００３５】
なお、この装置１０は、図１０に示すように、バルコニー７に埋設したコンクリート用アダプター９Ｂを介して取付けることができる。また、この装置１０には、同図に示すように、規制のブラケットＢを複数取付けることができる。
【図面の簡単な説明】
【００３６】
【図１】本考案の第一実施形態に係る足場組付け装置を示す側面図である。
【図２】図１に示す足場組付け装置の平面図である。
【図３】図１に示す足場組付け装置の使用状態を示す側面図である。
【図４】図１に示す足場組付け装置の使用状態を示す平面図である。
【図５】本考案の第二実施形態に係る足場組付け装置の使用状態を示す側面図である。
【図６】本考案の第二実施形態に係る足場組付け装置の使用状態を示す正面図である。
【図７】本考案における固定部材と孔部の実施形態を示す断面図である。
【図８】本考案の第一実施形態に係る足場組付け装置の他の態様を示す側面図である。
【図９】本考案の第一実施形態に係る足場組付け装置のさらに他の態様を示す側面図である。
【図１０】本考案の第二実施形態に係る足場組付け装置の他の態様を示す側面図である。
【図１１】従来例に係る足場組付け装置を示す側面図である。
【図１２】図１１に示す足場組付け装置の平面図である。
【符号の説明】
【００３７】
１        鉛直支柱
２        足場板
３        横パイプ
３ａ      第一横パイプ
３ｂ      第二横パイプ
４        縦パイプ
５        固定部材
６        型枠
７        バルコニー
８        アンカーボルト
９Ａ      型枠用アダプター
９Ｂ      コンクリート用アダプター
１０      足場組付け装置
１１      支持筒
１１ａ    ピン孔
１２      主支持材
１３      補助支持材
１４      連結補強材
１５      腕片
１６      フック
１７      当て具
１８      孔部
１９      ピン
２０      支持金具
２１      上水平材
２２      下傾斜板
２３      連結筒
２４      固定材
３０      足場取付装置
３１      上水平材
３２      下傾斜材
３３      連結筒
３４      連結材
３５      フック
３６      引掛片
３７      二股部材
Ｂ        規制のブラケット
Ｃ        コンクリート壁
Ｔ        ホームタイ
【手続補正２】
【補正対象書類名】図面
【補正対象項目名】図６
【補正方法】変更
【補正の内容】
【図６】
0003115524.tif 000015
【手続補正３】
【補正対象書類名】図面
【補正対象項目名】図８
【補正方法】変更
【補正の内容】
【図８】
0003115524.tif 000016
【手続補正４】
【補正対象書類名】図面
【補正対象項目名】図９
【補正方法】変更
【補正の内容】
【図９】
0003115524.tif 000017
【手続補正５】
【補正対象書類名】図面
【補正対象項目名】図１０
【補正方法】変更
【補正の内容】
【図１０】
0003115524.tif 000018